(57)【要約】【課題】スキャナ装置付きインクジェットプリンタにおいて、アライメント調整に使用した用紙のサイズが自動的に用紙サイズのデフォルト値として設定されるようにして、ユーザが用紙サイズのデフォルト値の変更のために、パソコン操作等の余分な手間を取られないようにする。【解決手段】ユーザによるインクカートリッジの交換（Ｓ１）後、アライメント印刷が実行されるとき、用紙にはアライメント調整のための印刷パターンと共に用紙の前後方向に沿って縦線が印刷される（Ｓ２）。この縦線が印刷された用紙をスキャナ装置によって読取らせる（Ｓ３）。読取られた縦線の長さに、アライメント印刷開始時の用紙の噛み込み長さと、アライメント印刷終了時の用紙の送り長さを加算して用紙長さを算出し、この算出された用紙長さから、最も近い用紙サイズを選択する（Ｓ４）。選択された用紙サイズをデフォルト値として用紙サイズメモリに記憶させる（Ｓ５）。【選択図】図５
2007044988.tif 000002
【特許請求の範囲】
【請求項１】
用紙に対してインクを吐出するインクジェットヘッドと、
前記インクジェットヘッドを主走査方向へ駆動する主走査駆動装置と、
前記用紙を、前記主走査方向駆動装置による前記インクジェットヘッドの駆動方向に対して直交する方向へ送る副走査駆動装置と、
前記インクジェットヘッド位置へ用紙を供給する給紙装置と、
前記給紙装置と前記インクジェットヘッドとの間に設けられ、前記給紙装置から供給される用紙の有無を検知する用紙センサと、
印刷時に、前記主走査駆動装置による前記インクジェットヘッドの駆動範囲及び前記副走査駆動装置による前記用紙の送り量を規定するためのデフォルトの用紙サイズを記憶する用紙サイズメモリと、
インクカートリッジの交換等に伴うアライメント調整時に、前記主走査駆動装置と前記副走査駆動装置を制御してアライメント調整のための印刷パターン（以下、印刷パターン）を用紙上に印刷するアライメント印刷手段と、
前記アライメント印刷手段によって前記印刷パターンが印刷された用紙が載置される原稿載置台と、
前記原稿載置台上に載置された用紙面に印刷された前記印刷パターンを含む印刷情報を読取るスキャナ装置と、
前記スキャナ装置によって読取った前記印刷パターンに基づいて前記インクジェットヘッドのアライメント調整を行うアライメント調整手段とを備えたスキャナ装置付きインクジェットプリンタにおいて、
前記アライメント印刷手段による印刷パターンの印刷時に、用紙が前記インクジェットヘッド位置に供給されたときにインクジェットヘッドによるインクの吐出が開始され、用紙の後端が前記用紙センサ位置に到達したときにインクジェットヘッドによるインクの吐出が停止されることによって、用紙の前端付近から用紙の後端付近まで延びる縦線を印刷する縦線印刷手段と、
前記スキャナ装置によって読取った用紙面の前記縦線の長さを算出する縦線長算出手段と、
前記縦線長算出手段によって算出された縦線の長さに、前記アライメント印刷手段による印刷パターンの印刷の開始時に、用紙が前記インクジェットヘッド位置に供給されたときの用紙前端と前記インクジェットヘッドによる印刷開始位置との間の用紙の噛み込み長さと、前記アライメント印刷手段による印刷パターンの印刷の終了時に、インクジェットヘッドによる印刷が停止した後の用紙の送り長さとを加算して前記アライメント調整時に給紙される用紙の長さを算出する用紙長算出手段と、
前記用紙長算出手段によって算出された用紙の長さに基づいて適正な用紙サイズを選択する用紙サイズ選択手段と、
前記用紙サイズ選択手段によって選択された用紙サイズのデータを前記用紙サイズメモリにデフォルトの用紙サイズとして記憶させる手段とが備えられ、
アライメント調整のたび毎に、用紙サイズのデフォルト値が見直されて、アライメント調整に使用した用紙のサイズが新たなデフォルト値として設定されることを特徴とするスキャナ装置付きインクジェットプリンタ。
【請求項２】
インクカートリッジの交換等に伴うアライメント調整時に、インクジェットヘッドによって印刷パターンを用紙上に印刷するアライメント印刷手段と、
前記アライメント印刷手段によって前記印刷パターンが印刷された用紙の印刷パターンを読取るスキャナ装置と、
前記スキャナ装置によって読取った前記印刷パターンに基づいて前記インクジェットヘッドのアライメント調整を行うアライメント調整手段と、
デフォルトの用紙サイズを記憶する用紙サイズメモリとを備えたスキャナ装置付きインクジェットプリンタにおいて、
前記アライメント印刷手段による印刷パターンの印刷時に、少なくとも用紙の前端付近を示す前端マークと、用紙の後端付近を示す後端マークとを有する用紙長さ表示マークを用紙面に印刷するマーク印刷手段と、
前記スキャナ装置によって読取った、前記用紙長さ表示マークに基づいて前記アライメント調整時に給紙された用紙の長さを算出する用紙長算出手段と、
前記用紙長算出手段によって算出された用紙の長さに基づいて適正な用紙サイズを選択する用紙サイズ選択手段と、
前記用紙サイズ選択手段によって選択された用紙のサイズのデータを前記用紙サイズメモリにデフォルトの用紙サイズとして記憶させる手段とが備えられ、
アライメント調整のたび毎に、用紙サイズのデフォルト値が見直されて、アライメント調整に使用した用紙のサイズが新たなデフォルト値として設定されることを特徴とするスキャナ装置付きインクジェットプリンタ。
【請求項３】
前記用紙長算出手段は、前記前端マークと前記後端マークとの間の離間長さに、前記アライメント印刷手段による印刷の開始時の用紙の噛み込み長さと、アライメント印刷手段による印刷の終了時の用紙の送り長さとを加算することによって用紙の長さを算出することを特徴とする請求項２に記載のスキャナ装置付きインクジェットプリンタ。
【発明の詳細な説明】
【技術分野】
【０００１】
本発明は、スキャナ装置付きインクジェットプリンタに関する。
【背景技術】
【０００２】
インクジェットプリンタにスキャナ装置を合体させ、種々の機能を奏することができるようにした複合型のインクジェットプリンタが知られている（以下、スキャナ装置付きインクジェットプリンタ）。このスキャナ装置付きインクジェットプリンタは、スキャナ装置で読取った原稿をプリンタ機能によって用紙面に印刷して排出させ、コピー機として使用することも可能である。
【０００３】
また、上記スキャナ装置付きインクジェットプリンタでは、自機で印刷した用紙をスキャナ機能を利用して読取ることができるので、この機能を利用して購入後最初の印刷時やインクカートリッジの交換時に必要なインクジェットヘッドのアライメント調整を次のようにして簡単に行うことができる。
【０００４】
すなわち、ユーザは、アライメント調整時に、まずプリンタの印刷機能により、予め装置内に記憶されているアライメント調整のための所定の印刷パターン（種々の模様、図形、記号等）を用紙に印刷して排出させ、次にユーザが、排出された用紙をスキャナ装置に載置し、用紙に印刷された印刷パターンをスキャナ装置に読み込ませる。その後、プリンタは、読み込んだ印刷パターンの基準の位置からのずれ量を自ら検出して、以降の印刷時の用紙に対する印刷位置を調整する。
【０００５】
一方、紙送り量の設定や用紙サイズ等のプリンタの種々の設定項目を、ユーザが１枚のシートに記入しておき、そのシートをプリンタに備えられた紙幅センサによって読取らせるようにして、多数の設定項目を短時間で設定できる記録装置が知られている（例えば、特許文献１参照）。
【特許文献１】特開平１０−１７５３５１号公報
【発明の開示】
【発明が解決しようとする課題】
【０００６】
ところで、上記スキャナ装置付きインクジェットプリンタのプリンタ機能を用いるときの用紙は、基本的にはＡ４サイズ、Ｂ５サイズ、レターサイズ等の種々のサイズを用いることができるが、一般的に、ユーザが最も頻繁に用いる用紙のサイズ（例えば、Ａ４サイズ）がデフォルトの用紙サイズとしてプリンタに設定（記憶）されており、ユーザが使用する用紙のサイズを特別に変更するとき以外は、設定を変える必要がないようになっている。このデフォルトの用紙サイズは、従来次のようにして設定される。
【０００７】
プリンタ自身に用紙サイズを検出するセンサが備えられている場合には、ユーザが当該プリンタを購入後に最初に使用する用紙のサイズをプリンタ自身が検出して、その検出した用紙サイズがデフォルトの用紙サイズとしてプリンタに記憶され、プリンタ自身に用紙サイズ検出センサが備えられていない場合には、プリンタに接続されたパソコンを介してユーザが操作して設定するようになっている。
【０００８】
また、日本国内で販売されるプリンタは、一般的に、デフォルトの用紙サイズとしてＡ４サイズに設定されて出荷され、購入したユーザが、そのデフォルトの用紙サイズを変更したい場合には、接続したパソコンを操作して設定を変更する。
【０００９】
以上のように、用紙サイズのデフォルト値を変更するためには、用紙サイズ検出センサを備えないプリンタでは、ユーザが、接続したパソコンを操作して行わなければならない面倒さがある。用紙サイズ検出センサが備えられたプリンタでは、そのような操作は不要であるが、センサを備えるためにプリンタ自身が相当にコストアップになってしまう不具合がある。
【００１０】
また、日本以外の外国へ出荷されるプリンタでは、出荷先の国によっては、Ａ４サイズ以外のサイズ（例えばレターサイズ）が一般的に用いられる場合があり、出荷時にデフォルトの用紙サイズとしてＡ４サイズが設定されたプリンタは、購入した多くのユーザがデフォルトの用紙サイズの変更操作をしなければならず、製品としての使い勝手が悪くなる。
【００１１】
そこで、本発明の発明者は、スキャナ装置付きインクジェットプリンタでは、プリンタ自身が印刷した用紙をスキャナ装置で読み取ることによってアライメント調整がほぼ自動的に行われることに着目し、これを利用して用紙サイズのデフォルト値を自動的に設定できる方法を研究し本発明に想到した。
【００１２】
本発明は、スキャナ装置付きインクジェットプリンタにおいて、アライメント調整に使用した用紙のサイズが自動的に用紙サイズのデフォルト値として設定されるようにして、ユーザが用紙サイズのデフォルト値の変更のために、パソコン操作等の余分な手間を取られることのないスキャナ装置付きインクジェットプリンタを提供することを目的とする。
【課題を解決するための手段】
【００１３】
上記目的を達成するための請求項１の発明は、用紙に対してインクを吐出するインクジェットヘッドと、前記インクジェットヘッドを主走査方向へ駆動する主走査駆動装置と、前記用紙を、前記主走査方向駆動装置による前記インクジェットヘッドの駆動方向に対して直交する方向へ送る副走査駆動装置と、前記インクジェットヘッド位置へ用紙を供給する給紙装置と、前記給紙装置と前記インクジェットヘッドとの間に設けられ、前記給紙装置から供給される用紙の有無を検知する用紙センサと、印刷時に、前記主走査駆動装置による前記インクジェットヘッドの駆動範囲及び前記副走査駆動装置による前記用紙の送り量を規定するためのデフォルトの用紙サイズを記憶する用紙サイズメモリと、インクカートリッジの交換等に伴うアライメント調整時に、前記主走査駆動装置と前記副走査駆動装置を制御してアライメント調整のための印刷パターン（以下、印刷パターン）を用紙上に印刷するアライメント印刷手段と、前記アライメント印刷手段によって前記印刷パターンが印刷された用紙が載置される原稿載置台と、前記原稿載置台上に載置された用紙面に印刷された前記印刷パターンを含む印刷情報を読取るスキャナ装置と、前記スキャナ装置によって読取った前記印刷パターンに基づいて前記インクジェットヘッドのアライメント調整を行うアライメント調整手段とを備えたスキャナ装置付きインクジェットプリンタにおいて、前記アライメント印刷手段による印刷パターンの印刷時に、用紙が前記インクジェットヘッド位置に供給されたときにインクジェットヘッドによるインクの吐出が開始され、用紙の後端が前記用紙センサ位置に到達したときにインクジェットヘッドによるインクの吐出が停止されることによって、用紙の前端付近から用紙の後端付近まで延びる縦線を印刷する縦線印刷手段と、前記スキャナ装置によって読取った用紙面の前記縦線の長さを算出する縦線長算出手段と、前記縦線長算出手段によって算出された縦線の長さに、前記アライメント印刷手段による印刷パターンの印刷の開始時に、用紙が前記インクジェットヘッド位置に供給されたときの用紙前端と前記インクジェットヘッドによる印刷開始位置との間の用紙の噛み込み長さと、前記アライメント印刷手段による印刷パターンの印刷の終了時に、インクジェットヘッドによる印刷が停止した後の用紙の送り長さとを加算して前記アライメント調整時に給紙される用紙の長さを算出する用紙長算出手段と、前記用紙長算出手段によって算出された用紙の長さに基づいて適正な用紙サイズを選択する用紙サイズ選択手段と、前記用紙サイズ選択手段によって選択された用紙サイズのデータを前記用紙サイズメモリにデフォルトの用紙サイズとして記憶させる手段とが備えられ、アライメント調整のたび毎に、用紙サイズのデフォルト値が見直されて、アライメント調整に使用した用紙のサイズが新たなデフォルト値として設定されることを特徴とする。
【００１４】
請求項２の発明は、インクカートリッジの交換等に伴うアライメント調整時に、インクジェットヘッドによって印刷パターンを用紙上に印刷するアライメント印刷手段と、前記アライメント印刷手段によって前記印刷パターンが印刷された用紙の印刷パターンを読取るスキャナ装置と、前記スキャナ装置によって読取った前記印刷パターンに基づいて前記インクジェットヘッドのアライメント調整を行うアライメント調整手段と、デフォルトの用紙サイズを記憶する用紙サイズメモリとを備えたスキャナ装置付きインクジェットプリンタにおいて、前記アライメント印刷手段による印刷パターンの印刷時に、少なくとも用紙の前端付近を示す前端マークと、用紙の後端付近を示す後端マークとを有する用紙長さ表示マークを用紙面に印刷するマーク印刷手段と、前記スキャナ装置によって読取った、前記用紙長さ表示マークに基づいて前記アライメント調整時に給紙された用紙の長さを算出する用紙長算出手段と、前記用紙長算出手段によって算出された用紙の長さに基づいて適正な用紙サイズを選択する用紙サイズ選択手段と、前記用紙サイズ選択手段によって選択された用紙のサイズのデータを前記用紙サイズメモリにデフォルトの用紙サイズとして記憶させる手段とが備えられ、アライメント調整のたび毎に、用紙サイズのデフォルト値が見直されて、アライメント調整に使用した用紙のサイズが新たなデフォルト値として設定されることを特徴とする。
【００１５】
請求項３の発明は、請求項２に記載の発明において、前記用紙長算出手段が、前記前端マークと前記後端マークとの間の離間長さに、前記アライメント印刷手段による印刷の開始時の用紙の噛み込み長さと、アライメント印刷手段による印刷の終了時の用紙の送り長さとを加算することによって用紙の長さを算出することを特徴とする。
【発明の効果】
【００１６】
本発明によれば、スキャナ装置付きインクジェットプリンタにおいて、インクカートリッジの交換等に伴うアライメント調整時に、印刷パターンが印刷されて排出された用紙を、ユーザがスキャナ装置に載置して読み取らせれば、ユーザがアライメント調整に使用した用紙のサイズが自動的に用紙サイズのデフォルト値として設定され、用紙サイズのデフォルト値の変更のためのユーザの手間を極力少なくすることができる。
【発明を実施するための最良の形態】
【００１７】
以下、本発明の一実施形態に係るスキャナ装置付きインクジェットプリンタについて、図面を参照して説明する。本実施形態のスキャナ装置付きインクジェットプリンタ１は、図１にその外観を示すように、略直方形の筐体２内にインクジェットプリンタ機能部３と、スキャナ装置部４とを備えている。筐体２の前部には、インクジェットプリンタ機能部３で印刷された用紙を排出する排出口５が設けられ、筐体２の後部には用紙トレイ６と、用紙トレイ６内の用紙を１枚ずつ送り出す送りローラ（不図示）等から構成される給紙装置７が設けられている。
【００１８】
インクジェットプリンタ機能部３は、給紙される用紙Ｐに対してインクを吐出するインクジェットヘッド８と、インクジェットヘッド８を筐体２の左右方向（主走査方向）へ駆動する主走査駆動装置と、用紙Ｐを筐体２の前後方向（副走査方向）へ送るローラ９等からなる副走査駆動装置とを備えている。インクジェットヘッド８は、筐体２内を左右方向に延びるレール枠１１によって移動自在に支持され、駆動モータによって左右に走行される無端ベルト（不図示）に連結されて左右に駆動される。インクジェットヘッド８は、インクカートリッジ１２の担持体であるキャリヤ１３とインクカートリッジ１２等から構成される。
【００１９】
レール枠１１の後面に設けられたプリント配線基板１４には、給紙装置７からインクジェットヘッド８の方向へ送り出された用紙Ｐの有無を検知する用紙センサ１５が設けられ、用紙センサ１５からの用紙Ｐの有無を示す信号は後述の制御部１０に入力される（図４）。
【００２０】
スキャナ装置部４は、筐体２の上面に設けられたガラス板からなる原稿載置台１６と、ガラス板の下方において筐体２の左右方向に沿って移動するＣＩＳ（Ｃｏｎｔａｃｔ  Ｉｍａｇｅ  Ｓｅｎｓｏｒ）１７等を備えている。
【００２１】
そして、筐体２内には、印刷時にインクジェットヘッド８からのインクの吐出、主走査駆動装置によるインクジェットヘッド８の左右方向の駆動、及び副走査駆動装置による用紙Ｐの送り等を、所定のタイミングで駆動制御し、給紙された用紙Ｐ上に印刷情報が正しく印刷されるように統括して制御するマイクロコンピュータからなる制御部１０が備えられている。スキャナ装置部４もこの制御部１０によって制御され、スキャナ装置部４で読取られた情報は制御部１０に入力される。図４に制御部１０と、制御部１０に接続される各部のブロック図を示す。
【００２２】
また、制御部１０には、印刷時の、主走査駆動装置によるインクジェットヘッド８の駆動範囲及び副走査駆動装置による用紙１枚あたりの送り量を規定するためのデフォルトの用紙サイズを記憶する用紙サイズメモリ１０ａと、アライメント調整時にインクジェットプリンタ機能部３によって印刷される印刷パターンＰＴが格納された印刷パターンメモリ１０ｂが備えられている。図３に印刷パターンＰＴの例を示す。
【００２３】
制御部１０は、アライメント調整時に、インクジェットプリンタ機能部３を動作させて、給紙装置７から給紙された用紙Ｐに印刷パターンメモリ１０ｂから読み出した印刷パターンＰＴを、インクジェットヘッド８、主走査駆動装置及び副走査駆動装置を制御することによって印刷させ、印刷パターンＰＴを印刷された用紙Ｐが、ユーザによって原稿載置台１６上に載置された後にスキャナ装置部４を動作させて、用紙面に印刷された印刷パターンＰＴを含む情報を読取らせる。
【００２４】
そして、制御部１０は、上記印刷パターンＰＴを用紙Ｐに印刷させるときに、印刷パターンＰＴの近傍に図３に示したような縦線ＶＬを印刷させる（縦線印刷手段）と共に、スキャナ装置４によって読取った用紙面の情報から上記縦線ＶＬの長さを算出し（縦線長算出手段）、その算出した縦線ＶＬの長さに基づいて用紙Ｐの長さを算出し（用紙長算出手段）、算出した用紙長さに基づいてデフォルトの用紙サイズを選択し（用紙サイズ選択手段）、その選択した用紙サイズを用紙サイズメモリ１０ａに記憶させる。
【００２５】
以下、図５と図６のフローチャートを参照して、アライメント調整時の手順を詳細に説明する。なお、アライメント調整は、ユーザが、スキャナ装置付きインクジェットプリンタ１を購入して最初に稼動させるとき、及びインクカートリッジ１２を交換したときに行われるが、インクカートリッジ１２の交換時以外であっても、例えば印刷の質が低下したとき等に、印刷の質の改善を目的として行われる場合がある。
【００２６】
図５のフローチャートに示すように、ユーザがインクカートリッジ１２を交換し（Ｓ１）、それに続いてユーザがキーの押下等の所定の操作を行うことにより、アライメント調整が開始され、制御部１０がインクジェットプリンタ機能部３を制御してアライメント印刷を実行させる（Ｓ２）。アライメント印刷は、前述の通り、インクジェットヘッド８、主走査駆動装置及び副走査駆動装置の所定の動作により、用紙Ｐ面に印刷パターンＰＴが印刷される動作をいう。
【００２７】
このアライメント印刷のときに、制御部１０は、印刷パターンＰＴを用紙Ｐ面に印刷させると共に、印刷パターンＰＴの近傍に図３に示したような縦線ＶＬを印刷させる。
【００２８】
具体的には、給紙装置７から給紙された用紙Ｐがインクジェットヘッド８位置にもたらされたとき（図２の状態）に、インクジェットヘッド８からのインクの吐出が開始され、用紙Ｐの後端Ｐｂが用紙センサ１５位置に到達したときにインクの吐出が停止されることによって、用紙の前端Ｐａ付近から用紙の後端Ｐｂ付近まで延びる１本の縦線ＶＬが印刷される。
【００２９】
従って、アライメント印刷の開始時において給紙装置７から給紙された用紙Ｐの前端Ｐａがインクジェットヘッド８位置を通過してさらに前方へ送られた部分を噛み込みと称するとすると、縦線ＶＬは、この噛み込みの長さＤａ（図２）分だけ、無印刷の部分（白地部分）を隔てて用紙Ｐの前端Ｐａから若干内側へ入った位置からその始端ＶＬａが始まる。また、用紙Ｐの後端Ｐｂが用紙センサ１５位置に到達したときにインクの吐出が停止されるので、縦線ＶＬの終端ＶＬｂと用紙Ｐの後端Ｐｂとの間には、印刷の終了後に用紙Ｐをインクジェットヘッド８位置から前方へ送り出す送り量分の長さの無印刷の部分が残る。
【００３０】
上記噛み込みの長さＤａは、インクジェットヘッド８位置とその前方のローラ９位置との間隔にほぼ等しく一定であり、上記送り量分の長さＤｂは、インクジェットヘッド８位置とその後方の用紙センサ１５位置との間隔にほぼ等しく一定である。つまり、用紙Ｐの前端Ｐａと縦線ＶＬの始端ＶＬａとの間の無印刷部分（白地部分）の長さが、噛み込み長さＤａにほぼ等しく一定であり、用紙Ｐの後端Ｐｂと縦線ＶＬの終端ＶＬｂとの間の無印刷部分（白地部分）の長さが、用紙送り長さＤｂにほぼ等しく一定になる。一方、縦線ＶＬの長さ自体は用紙Ｐの長さに応じて変化する。噛み込み長さＤａと、送り量分の長さＤｂの具体的な値は、制御部内のメモリ１０ｃに記憶されている。
【００３１】
上記のようにして印刷パターンＰＴと縦線ＶＬが印刷された用紙Ｐが排出口５から排出されるので、ユーザがその用紙Ｐを原稿載置台１６上に置き、キーの押下等の所定の操作を行うことによってスキャナ装置部４による印刷情報の読取りが行われる（Ｓ３）。
【００３２】
スキャナ装置部４によって読取られた印刷情報は、制御部１０に入力され、制御部１０はその印刷情報から用紙サイズの算出を行う（Ｓ４）。
【００３３】
用紙サイズの算出手順について、図６のフローチャートを参照して説明する。制御部１０は、まず入力された印刷情報から公知の画像認識技術等によって縦線ＶＬを検出し（Ｓ１１）、縦線ＶＬの長さを算出する（Ｓ１２）。そして、用紙Ｐの前端Ｐａと縦線ＶＬの始端ＶＬａとの間の無印刷部分の長さ（噛み込み長さＤａ）と、用紙Ｐの後端Ｐｂと縦線ＶＬの終端ＶＬｂとの間の無印刷部分の長さ（送り長さＤｂ）とをメモリ１０ｃから読み出し（Ｓ１３）、それらの値を縦線ＶＬの長さＶＬｄに加算して用紙の長さとする（Ｓ１４）。
【００３４】
次に、算出された用紙Ｐの長さに最も近い標準の用紙サイズをデフォルトの用紙サイズとして選択する（Ｓ１５）。例えば、算出された用紙Ｐの長さが２９５ｍｍであれば、Ａ４サイズをデフォルトの用紙サイズとする。なお、ステップ１２で算出される縦線ＶＬの長さＶＬｄは、スキャナ装置部４の読取り精度が高いことから、実際の用紙Ｐの長さをほぼ正確に反映した長さになっている。
【００３５】
デフォルトの用紙サイズが選択された後、制御部１０は、その用紙サイズを用紙サイズメモリ１０ａに記憶させる（Ｓ５）。用紙サイズメモリ１０ａには、通常出荷時に、仮のデフォルト値が記憶されているので、上書き形式で記憶させる。
【００３６】
その後、制御部１０は、ステップ３で読み込まれた印刷パターンＰＴに基づいてインクジェットヘッド８のずれ量に対する公知のアライメント動作を行い（Ｓ６）、アライメント値の保存を行う（Ｓ７）。
【００３７】
以上のようにして、アライメント調整時に使用した用紙Ｐのサイズが新たなデフォルト値として用紙サイズメモリ１０ａに設定される。したがって、例えば、ユーザが当該プリンタ１を購入して最初の印刷を行う前に、Ａ４サイズの用紙Ｐを用いてアライメント調整を行えば、Ａ４サイズがデフォルトの用紙サイズとして設定され、その後、インクカートリッジ１２の交換等に伴うアライメント調整のたび毎に見直されて、その時に使用する用紙Ｐのサイズがデフォルト値として設定される。Ａ４サイズの用紙Ｐを使い続ける場合には、デフォルト値はＡ４サイズに設定され続けるし、ユーザがある時点から他のサイズの用紙（レターサイズやＢ５サイズ等）を使用する場合には、そのサイズの用紙Ｐを用いてアライメント調整を行ったときにデフォルトの用紙サイズ（用紙サイズメモリ１０ａに記憶される用紙サイズ）が、その用紙サイズに自動的に変更されて設定される。
【００３８】
なお、本実施形態では、アライメント印刷時に用紙Ｐに印刷される、用紙長さを算出するための縦線ＶＬは、用紙Ｐの前端Ｐａ付近から用紙Ｐの後端Ｐｂ付近まで連続して延びる１本の線分であったが、この縦線ＶＬに代えて、用紙Ｐの前端Ｐａ付近を示す前端マークと、用紙Ｐの後端Ｐｂ付近を示す後端マークとから構成される長さ表示マークであってもよい。
【００３９】
つまり、例えば、図３に示す縦線ＶＬの始端ＶＬａ部分の短い線分と終端ＶＬｂ部分の短い線分の２本の線分からなるものであってもよいし、縦線ＶＬの始端ＶＬａ位置と終端ＶＬｂ位置に印刷される、印刷パターンＰＴの各種模様とは区別される種々のマーク（丸、三角、矢印等の図形又は記号）であってもよい。いずれにしても、それらのマークは、前方のマークが用紙Ｐの前端Ｐａから噛み込み長さＤａ分の無印刷部分を隔てて用紙Ｐの若干内側に印刷され、後方のマークが用紙Ｐの後端Ｐｂから用紙送り長さＤｂ分の無印刷部分を隔てて用紙Ｐの内側に印刷される。
【００４０】
また、本実施形態では、縦線ＶＬの長さを算出した後、その長さＶＬｄに噛み込み長さＤａと用紙の送り長さＤｂとを加算して用紙長さとし、算出した用紙長さに基づいて標準の用紙サイズが選択されたが、算出される縦線ＶＬの長さの範囲に応じて対応する用紙サイズを予め制御部内にテーブルの形式で記憶させておき、算出された縦線ＶＬの長さに応じて直接、用紙サイズのデフォルト値が選択されるようにしてもよい。
【図面の簡単な説明】
【００４１】
【図１】本発明の一実施形態に係るスキャナ装置付きインクジェットプリンタの概略斜視図。
【図２】同インクジェットプリンタ機能部の主要部の側断面図。
【図３】印刷パターンと縦線が印刷された用紙を示す図。
【図４】インクジェットプリンタ機能部とスキャナ装置部を統括して制御する制御部のブロック図。
【図５】用紙サイズのデフォルト値の設定手順を示すフローチャート。
【図６】デフォルトの用紙サイズを算出する手順を示すフローチャート。
【符号の説明】
【００４２】
１  スキャナ装置付きインクジェットプリンタ
３  インクジェットプリンタ機能部
４  スキャナ装置部（スキャナ装置）
７  給紙装置
８  インクジェットヘッド
１０  制御部（アライメント印刷手段、縦線印刷手段、縦線長算出手段、用紙長算出手段、用紙サイズ選択手段）
１０ａ  用紙サイズメモリ
１２  インクカートリッジ
１５  用紙センサ
１６  原稿載置台
Ｐ  用紙
Ｐａ  用紙前端
Ｐｂ  用紙後端
ＰＴ  印刷パターン
ＶＬ  縦線
ＶＬｄ  縦線の長さ
Ｄａ  噛み込み長さ
Ｄｂ  送り長さ
【図１】
2007044988.tif 000003
【図２】
2007044988.tif 000004
【図３】
2007044988.tif 000005
【図４】
2007044988.tif 000006
【図５】
2007044988.tif 000007
【図６】
2007044988.tif 000008